(57)【要約】【課題】パーミング時における手の平のフィット感を向上させることができるリールシートと釣竿を提供する。【解決手段】竿本体１００に装着されるリールシート本体１と、リールシートを把持する手の平を支持するためのサポート部材３とを備え、リールシート本体１は、リール脚が載置されるリール脚載置部１１と、サポート部材３を取り付けるための取付部とを有し、サポート部材３をリールシート本体１に左手仕様に取り付けると、パーミング時に左手の手の平がサポート部材３で支持され、サポート部材３をリールシート本体１に右手仕様に取り付けると、パーミング時に右手の手の平がサポート部材３で支持される。【選択図】図１３
2019180271.tif 000002
【特許請求の範囲】
【請求項１】
釣竿にリールを取り付けるためのリールシートであって、
竿本体に装着されるリールシート本体と、リールシートを把持する手の平を支持するためのサポート部材とを備え、
リールシート本体は、リール脚が載置されるリール脚載置部と、サポート部材を取り付けるための取付部とを有し、
取付部は、パーミング時に左手の手の平をサポート部材で支持することができる左手仕様と、パーミング時に右手の手の平をサポート部材で支持することができる右手仕様の双方に、サポート部材を取り付けることができるように構成されていることを特徴とするリールシート。
【請求項２】
リールシート本体は、左右両側部に取付部をそれぞれ有しており、リールシート本体の左側の取付部にサポート部材を取り付けると、パーミング時に左手の手の平をサポート部材で支持することができ、リールシート本体の右側の取付部にサポート部材を取り付けると、パーミング時に右手の手の平をサポート部材で支持することができる請求項１記載のリールシート。
【請求項３】
リールシート本体は、左右対称形状であって且つサポート部材を取り付けることにより左右非対称形状となる請求項１又は２記載のリールシート。
【請求項４】
サポート部材は左右兼用である請求項１乃至３の何れかに記載のリールシート。
【請求項５】
請求項１乃至４の何れかに記載のリールシートを備えた釣竿。
【発明の詳細な説明】
【技術分野】
【０００１】
本発明は、釣竿にリールを固定するためのリールシートとそれを備えた釣竿に関する。
【背景技術】
【０００２】
両軸リールは上を向いた状態で使用される。例えば、ハンドルを右側に備える両軸リールの場合には、左側の手でリールシートと両軸リールを包み込むように把持する。このような把持の仕方を一般的にはパーミングと称する。その際、例えば左手の親指は両軸リールの左側の側壁部の上面に載せ、左手の他の四本の指はリールシートの下面に位置させる。
【０００３】
下記特許文献１には、手のフィット感の向上させるためにリール載置面の左右部分を水平方向に膨出する構成が提案されているが、十分ではない。
【先行技術文献】
【特許文献】
【０００４】
【特許文献１】実開平１−８２７６５号公報
【発明の概要】
【発明が解決しようとする課題】
【０００５】
それゆえに本発明は、パーミング時における手の平のフィット感を向上させることができるリールシートと釣竿を提供することを課題とする。
【課題を解決するための手段】
【０００６】
本発明は上記課題を解決すべくなされたものであって、本発明に係るリールシートは、釣竿にリールを取り付けるためのリールシートであって、竿本体に装着されるリールシート本体と、リールシートを把持する手の平を支持するためのサポート部材とを備え、リールシート本体は、リール脚が載置されるリール脚載置部と、サポート部材を取り付けるための取付部とを有し、取付部は、パーミング時に左手の手の平をサポート部材で支持することができる左手仕様と、パーミング時に右手の手の平をサポート部材で支持することができる右手仕様の双方に、サポート部材を取り付けることができるように構成されていることを特徴とする。
【０００７】
該構成のリールシートに右ハンドルの両軸リールを取り付ける場合、リールシート本体の取付部にサポート部材を左手仕様に取り付ける。パーミング時には、左手の手の平がサポート部材で支持される。一方、リールシートに左ハンドルの両軸リールを取り付ける場合、リールシート本体の取付部にサポート部材を右手仕様に取り付ける。パーミング時には、右手の手の平がサポート部材で支持される。
【０００８】
特に、リールシート本体は、左右両側部に取付部をそれぞれ有しており、リールシート本体の左側の取付部にサポート部材を取り付けると、パーミング時に左手の手の平をサポート部材で支持することができ、リールシート本体の右側の取付部にサポート部材を取り付けると、パーミング時に右手の手の平をサポート部材で支持することができることが好ましく、サポート部材をリールシート本体に容易に左手仕様及び右手仕様に取り付けることができる。
【０００９】
また、リールシート本体は、左右対称形状であって且つサポート部材を取り付けることにより左右非対称形状となることが好ましく、リールシート本体の製造が容易になる。
【００１０】
また、サポート部材は左右兼用であることが好ましく、一つのサポート部材で右ハンドル仕様の両軸リールと左ハンドル仕様の両軸リールに対応できる。
【００１１】
また、本発明に係る釣竿は、上記リールシートを備えたものである。
【発明の効果】
【００１２】
以上のように、サポート部材をリールシート本体に取り付けることができるので、パーミング時のフィット感が向上し、釣り人の手の負担が軽減される。また、サポート部材をリールシート本体の取付部に左手仕様にも右手使用にも取り付けることができるので、右ハンドル仕様の両軸リールと左ハンドル仕様の両軸リールの何れにも対応可能である。
【図面の簡単な説明】
【００１３】
【図１】本発明の一実施形態におけるリールシートの斜視図であって、サポート部材を取り付けていない状態を示す。
【図２】同リールシートの斜視図であって、サポート部材を取り付けていない状態を示す。
【図３】同リールシートを左側面から見た図であって、サポート部材を取り付けていない状態を示す。
【図４】同リールシートを右側面から見た図であって、サポート部材を取り付けていない状態を示す。
【図５】同リールシート平面図であって、サポート部材を取り付けていない状態を示す。
【図６】同リールシートの底面図であって、サポート部材を取り付けていない状態を示す。
【図７】同リールシートを後側から見た図であって、サポート部材を取り付けていない状態を示す。
【図８】同リールシートを左側面から見た図であって、交換部材を取り外した状態を示す。
【図９】同リールシートのサポート部材を表面側から見た斜視図。
【図１０】同リールシートのサポート部材を裏面側から見た斜視図。
【図１１】同リールシートのサポート部材を前側から見た図。
【図１２】同リールシートの斜視図であって、サポート部材を左側に取り付けた状態を示す。
【図１３】同リールシートを左側面から見た図であって、サポート部材を左側に取り付けた状態を示す。
【図１４】同リールシートの平面図であって、サポート部材を左側に取り付けた状態を示す。
【図１５】同リールシートの底面図であって、サポート部材を左側に取り付けた状態を示す。
【図１６】同リールシートを後側から見た図であって、サポート部材を左側に取り付けた状態を示す。
【図１７】同リールシートを備えた釣竿に両軸リールを取り付けた使用状態を示す左側面から見た図。
【図１８】同リールシートを備えた釣竿に両軸リールを取り付けた使用状態を示す平面図。
【図１９】同リールシートの斜視図であって、サポート部材を右側に取り付けた状態を示す。
【図２０】同リールシートを右側面から見た図であって、サポート部材を右側に取り付けた状態を示す。
【図２１】同リールシートの平面図であって、サポート部材を右側に取り付けた状態を示す。
【図２２】同リールシートを後側から見た図であって、サポート部材を右側に取り付けた状態を示す。
【発明を実施するための形態】
【００１４】
以下、本発明の一実施形態に係るリールシートについて図１〜図２２を参酌しつつ説明する。尚、リールシートの中心線方向（軸線方向）を前後方向とし、前側を竿先側、後側を竿尻側とする。また、後述するリール脚載置部１１を上側とし、それとは反対側を下側とする。図３及び図１３に、前側を矢印Ｘ１で示し、後側を矢印Ｘ２で示し、上側を矢印Ｙ１で示し、下側を矢印Ｙ２で示している。
【００１５】
本実施形態におけるリールシートは、両軸リール２００を釣竿に取り付けるためのものである。図１７及び図１８のように、両軸リール２００は、一般的に使用状態において釣竿の上側に位置する。両軸リール２００は種々の形状であってよいが、その一例を図１７及び図１８に示している。両軸リール２００は、リール本体と、リール脚２０１とを備えている。リール本体は、左右一対の側壁部２０２，２０３と、該左右の側壁部２０２，２０３間に位置し、左右の側壁部２０２，２０３に回転可能に支持されるスプール２０４と、該スプール２０４を回転させるためのハンドル２０５と、スプール２０４の回転とハンドル２０５の回転とを連結、解除するためのクラッチ２０６とを備えている。
【００１６】
左右一対の側壁部２０２，２０３は、互いに略同一形状であって、本実施形態では正面視の形状が円形であって、略円板状の形状となっているが、正面視の形状が前後方向に長い楕円形等であってもよい。左右一対の側壁部２０２，２０３は、平面視において左右平行に並んでいて、前後所定箇所において互いに連結されている。また、図１８のような平面視において、左右の側壁部２０２，２０３は、竿本体１００を中心として左右均等に配置される。平面視において、左側の側壁部２０３は、竿本体１００よりも左側に突出、あるいは、はみ出すように位置し、右側の側壁部２０２は、竿本体１よりも右側に突出、あるいは、はみ出すように位置している。何れにしても、釣竿に両軸リール２００を取り付けた状態では、左右の側壁部２０２，２０３は、それぞれ竿本体１００に対して側方に向けてはみ出した状態となる。スプール２０４は、左右方向の軸線回りに回転して釣り糸を巻き取る。
【００１７】
ハンドル２０５は、左右の側壁部２０２，２０３の何れかに回転可能に設けられ、本実施形態では右側の側壁部２０２に設けられていて右ハンドル仕様となっているが、左側の側壁部２０３に設けられた左ハンドル仕様であってもよい。ハンドル２０５は、スプール２０４と同様に、左右方向の軸線回りに回転する。ハンドル２０５とスプール２０４は同軸上にあってもよく、即ち、ハンドル２０５の回転中心線とスプール２０４の回転中心線が一直線状に位置していてもよいが、ハンドル２０５の回転中心線とスプール２０４の回転中心線が同一線上にはなくて平行関係にあってもよい。リール脚２０１は、両軸リール２００をリールシートに取り付けるためのものである。リール脚２０１は、リール本体の下端部に設けられていて、前後方向に延びている。
【００１８】
リールシートは、竿本体１００（ブランク）に外装着される筒状の構成であって、リールシートの中心線は竿挿通孔１０の中心線１０ａであって竿本体１００の中心線と一致する。リールシートの軸線方向はリールシートの中心線の方向であり、竿本体１００の軸線方向は竿本体１００の中心線の方向である。リールシートの軸線方向と竿本体１００の軸線方向は一致する。
【００１９】
リールシートは、筒状のリールシート本体１と、図示しないフード用ナット及び筒状の可動フードと、保持用ナット２と、サポート部材３とを備えている。リールシート本体１は、全体として筒状であって、その内側を竿本体１００が挿通する。従って、リールシート本体１は、竿本体１００が挿通する竿挿通孔１０を有している。竿挿通孔１０はリールシート本体１を貫通している。リールシート本体１は、竿本体１００の所定位置に取り付けられる。リールシート本体１は竿本体１００の外周面に直接接着固定されたり、竿本体１００の外周面との間に筒状のスペーサ（図示省略）を介して接着固定されたりする。リールシート本体１は、種々の合成樹脂から射出成形により形成してよい。材質としては、特に繊維強化樹脂が好ましく、長さが１ｍｍ以下の短繊維を強化繊維とした繊維強化樹脂が好ましい。また、その繊維としてはカーボン繊維が好ましい。保持用ナット２やサポート部材３も同様に樹脂成形品としてよい。
【００２０】
リールシート本体１は、左右対称形状である。リールシート本体１は、リール脚載置部１１と、固定フード部１２と、フード用雄ネジ部１３と、保持用雄ネジ部１４（図８参照）と、グリップ部１７と、取付部とを備えている。リール脚載置部１１は、両軸リール２００のリール脚２０１を載置するための部分であって、リールシート本体１の上面に形成されている。該リール脚載置部１１の後側に固定フード部１２が形成されている。固定フード部１２は、リール脚２０１の後端部を保持するための部分であって前側に開口しており、固定フード部１２にはリール脚２０１の後端部が前側から挿入される。
【００２１】
リールシート本体１の前部外周面にフード用雄ネジ部１３が形成されている。該フード用雄ネジ部１３にフード用ナットが螺合する。該フード用ナットの後側に可動フードが位置し、可動フードはリールシート本体１に対して前後方向に移動可能であるが回転不能である。可動フードは筒状であって、その全周のうちの上部に部分的に径方向外側に膨出したフード部が形成されている。可動フードのフード部は、リール脚２０１の前端部を保持する部分であって、そのフード部にリール脚２０１の前端部が相対的に後側から挿入される。フード用ナットの後端部は可動フードの前端部に相対回転可能に係合していて、フード用ナットが回転しながら前後に移動すると、それに合わせて可動フードは前後に移動するものの回転はしない。フード用ナットを後側に移動させることで可動フードを固定フード部１２に接近させることができて可動フードと固定フード部１２でリール脚２０１を前後に狭持して固定することができる。逆に、フード用ナットを前側に移動させると、可動フードは固定フード部１２から前側に離れていき、両軸リール２００を釣竿から取り外すことができる。
【００２２】
＜グリップ部１７＞
リールシート本体１の下部の後側寄りの位置にグリップ部１７が形成されている。該グリップ部１７は、リールシート本体１の下面１ａの後部に下側に向けて大きく膨出している。グリップ部１７は、パーミング時に人差し指から小指の手の平側の面である裏面に当接してそれを支持する。グリップ部１７には人差し指から小指までの四本の指が当接してもよいし、その四本のうちの複数の指が当接してもよい。グリップ部１７は、リールシート本体１の下面１ａのうち固定フード部１２の下側に対応した位置から後側にかけて形成されている。グリップ部１７の下端部１７ａは固定フード部１２よりも後側に位置している。リールシート本体１の下面１ａは、グリップ部１７の下端部１７ａに向けて、前側から後側にかけて徐々に下降し、傾斜している。
【００２３】
図８のように、リールシート本体１の後部は固定フード部１２よりも後側に長く筒状に延びている。リールシート本体１は、固定フード部１２よりも後側に延びる延長筒部１９を備えている。該延長筒部１９は、グリップ部１７よりも後側に延びている。延長筒部１９は、一部材としてリールシート本体１に一体的に形成されているが、リールシート本体１とは別体に形成されて接着等によりリールシート本体１に取り付けられていてもよい。延長筒部１９の外周面に保持用雄ネジ部１４が形成されている。保持用雄ネジ部１４は延長筒部１９の前端部近傍に形成されている。保持用雄ネジ部１４に保持用ナット２が螺合している。
【００２４】
＜取付部＞
リールシート本体１は、サポート部材３を取り付けるための取付部を有している。取付部は、リールシート本体１の左右両側面にそれぞれ形成されている。左右の取付部は互いに同一形状であって左右対称に配置されている。取付部の構成は任意であるが、本実施形態では取付部としてリールシート本体１の側面に取付用の係合凹部２０，２１（係合部）が形成されている。係合凹部２０，２１は前後一対形成されており、前後一対の係合凹部２０，２１により取付部が構成されている。リールシート本体１の左右両側面にそれぞれ係合凹部２０，２１が前後一対ずつ形成されている。前後一対の係合凹部２０，２１は互いに上下方向の位置が同じであり、前後方向に沿った同一線上に位置している。前後一対の係合凹部２０，２１の上下方向の位置は、リールシート本体１の中心線の上下方向の位置の近傍である。前後一対の係合凹部２０，２１の形状は任意であるが本実施形態では矩形状であって具体的には上下方向に長い長方形状である。前側の係合凹部２０は、フード用雄ネジ部１３と固定フード部１２との間に位置している。後側の係合凹部２１は、固定フード部１２よりも後側に位置し、グリップ部１７の下端部１７ａよりも前側に位置し、延長筒部１９の直前に位置している。
【００２５】
＜リールシート本体１の部材構成＞
次に、本実施形態におけるリールシート本体１の部材構成について説明する。本実施形態では、リールシート本体１は、互いに別体に形成された固定部材７と交換部材８とから構成される。固定部材７は、竿本体１００に接着固定される。固定部材７は、リールシート本体１の主要部を構成していて、全体として筒状であって、その内側に竿挿通孔１０を備えており、リール脚載置部１１、固定フード部１２、フード用雄ネジ部１３、及び延長筒部１９を有している。
【００２６】
交換部材８は、固定部材７に対して着脱自在である。交換部材８は、リールシート本体１の前後方向中央部近傍であって下側部分を構成していて、固定部材７に対して下側に向けて分離可能であり、下側から上側に向けて固定部材７に取り付けられる。交換部材８は、グリップ部１７と係合凹部２０，２１とを有している。交換部材８は、固定部材７の前後方向中央部近傍の下側略半分の部分を下側且つ外側から覆う。固定部材７に下側から交換部材８が取り付けられて、固定部材７の下側部分の外面の径方向外側に交換部材８が重なり合う。固定部材７と交換部材は何れも左右対称形状である。交換部材８の下半割状部の後端部には、突片部８ａが形成されている。突片部８ａは、全周分ではなく下側の略半周分のみに形成されていて、略Ｕ字状に形成されている。
【００２７】
＜交換部材８の取付、取り外し＞
図８のように保持用ナット２を緩めて後側に後退させた状態で交換部材８を固定部材７に対して着脱できる。保持用ナット２の前端部が交換部材８の突片部８ａを径方向外側であって下側から覆う。そして、保持用ナット２が交換部材８を前側に押圧することにより交換部材８を固定部材７に固定することができる。交換部材８の取付、取り外し作業は、釣竿にリールシートが取り付けられた状態のままで行うことができる。即ち、竿本体１００に固定部材７が取り付けられた状態で、交換部材８を取り付けたり、取り外したりすることができる。従って、他の種類の交換部材８を準備しておけば、釣竿にリールシートが取り付けられている状態のまま交換部材８のみを交換することができる。例えば、グリップ部１７の位置や大きさ等、種々の仕様の交換部材８に容易に取り替えて楽しむことができる。また、交換部材８の材質や色、デザイン等が異なる他の交換部材８に容易に交換することもできる。そのため、釣り人の好みや両軸リール２００の種類、対象魚や状況等に応じて、釣り人が自由にリールシート及び釣竿をカスタマイズして楽しむことができる。
【００２８】
このような交換部材８の交換は、釣竿にリールシートが取り付けられた状態のままで行うことができ、釣り人自らが容易に交換することができる。例えば、釣りの現場においても交換部材８を容易に交換でき、また、両軸リール２００を釣竿に取り付けた状態のままでも交換部材８を交換することができる。特に、保持用ナット２の締め付け操作と緩め操作によって交換することができるので、交換作業は極めて簡単であって素早く交換することができる。
【００２９】
＜サポート部材３＞
サポート部材３はリールシート本体１に着脱自在に取り付けられる。具体的には、サポート部材３は、リールシート本体１の交換部材８に着脱自在に取り付けられる。サポート部材３は左右兼用であって、リールシート本体１の左右両側面の何れにも取り付けることができる。サポート部材３は、パーミング時に、ハンドル２０５を操作する手とは反対側の手の平を支持するためのものである。例えば、右ハンドル仕様の両軸リール２００のハンドル２０５を右手で操作する場合、パーミング時に左手の手の平をサポート部材３が支持し、左ハンドル仕様の両軸リール２００のハンドル２０５を左手で操作する場合、パーミング時に右手の手の平をサポート部材３が支持する。
【００３０】
サポート部材３の形状は任意であるが、その一例を図９〜図１１に示している。サポート部材３は、所定方向に長い形状であって、全体として菱形状である。サポート部材３の長手方向と直交する方向である短手方向を幅方向とも称する。リールシート本体１への取付状態において、サポート部材３の長手方向は略前後方向となり、サポート部材３の長手方向の第一端部３０側が前側を向く。即ち、サポート部材３の長手方向の第一端部３０が前端部となり、サポート部材３の長手方向の第二端部３１が後端部となる。
【００３１】
サポート部材３は長手方向に沿った中心線を中心として幅方向に対称形状となっている。サポート部材３の幅方向の両縁部にはそれぞれ幅方向の外側に向けて突出した角部３２ａ，３２ｂが形成されている。サポート部材３の幅は、両角部３２ａ，３２ｂにおいて最大となっている。両角部３２ａ，３２ｂは、サポート部材３の長手方向の中央部よりも第二端部３１側に位置している。サポート部材３の幅は、長手方向の第一端部３０から両角部３２ａ，３２ｂかけて緩やかに増大し、両角部３２ａ，３２ｂから長手方向の第二端部３１にかけて急激に減少している。サポート部材３の幅方向の両縁部には、それぞれ、第一端部３０から角部３２ａ，３２ｂまで幅方向の外側に向けて傾斜して延びる前部傾斜縁部３３ａ，３３ｂと、角部３２ａ，３２ｂから第二端部３１まで幅方向の内側に向けて傾斜して延びる後部傾斜縁部３４ａ，３４ｂとが形成されている。サポート部材３の外縁は、菱形の四つの辺から構成されており、菱形の四つの辺が、二つの前部傾斜縁部３３ａ，３３ｂと二つの後部傾斜縁部３４ａ，３４ｂである。前部傾斜縁部３３ａ，３３ｂは緩やかな傾斜角度であって、後部傾斜縁部３４ａ，３４ｂは前部傾斜縁部３３ａ，３３ｂよりも急な傾斜角度である。取付状態においては、一方の角部３２ａ，３２ｂがサポート部材３の最上部となり、それとは反対側の他方の角部３２ａ，３２ｂがサポート部材３の最下部となる。取付状態において、サポート部材３の上縁は、第一端部３０（前端部）から一方の角部３２ａ，３２ｂまでは前部傾斜縁部３３ａ，３３ｂによって緩やかに上昇し、一方の角部３２ａ，３２ｂから第二端部３１（後端部）までは後部傾斜縁部３４ａ，３４ｂによって急激に下降する。
【００３２】
サポート部材３は、表面３ａと裏面３ｂとを有している。サポート部材３の表面３ａは、リールシート本体１への取付状態において、リールシート本体１とは反対側である外側を向く。従って、サポート部材３の表面３ａは、外面である。サポート部材３の裏面３ｂは、リールシート本体１への取付状態において、リールシート本体１側である内側を向く。従って、サポート部材３の裏面３ｂは、内面である。サポート部材３の表裏方向の寸法即ち厚さは、幅方向中央部において最も大きく、幅方向中央部から幅方向両端部に向けて徐々に小さくなっている。サポート部材３は、幅方向中央部において最も表面３ａ側（外側）への膨出量が大きく、幅方向中央部から幅方向両端部に向けて徐々に膨出量が小さくなっていく。
【００３３】
サポート部材３は、リールシート本体１の取付部に取り付けるための取付部を備えている。サポート部材３の裏面３ｂには、リールシート本体１の係合凹部２０，２１と係合する取付部としての係合凸部３５，３６（係合部）が長手方向に間隔をあけて一対突設されている。一対の係合凸部３５，３６は、リールシート本体１の前後の係合凹部２０，２１にそれぞれ係合する。係合凸部３５，３６は裏側に向けて突出しており、その形状はリールシート本体１の係合凹部２０，２１に対応した形状であって、本実施形態では幅方向（取付状態では上下方向）に長い長方形状である。一対の係合凸部３５，３６は、互いに幅方向の位置が同じであって、サポート部材３の幅方向中央部に位置しており、サポート部材３の長手方向に沿った中心線上に位置している。第一の係合凸部３５は、サポート部材３の長手方向の第一端部３０の裏面３ｂに位置している。第二の係合凸部３６は、サポート部材３の長手方向の第二端部３１に近い部分の裏面３ｂに位置し、具体的には、サポート部材３が最も幅広である部分の裏面３ｂに位置している。
【００３４】
＜サポート部材３の取り付け状態＞
図１２から図１８にサポート部材３をリールシート本体１の左側面に取り付けた状態を示している。この状態が左手仕様の取り付け状態である。リールシート本体１の左側面の前後の係合凹部２０，２１にサポート部材３の第一の係合凸部３５と第二の係合凸部３６をそれぞれ係合させる。リールシート本体１の前後の係合凹部２０，２１とサポート部材３の両係合凸部３５，３６との間の摩擦力によって、サポート部材３の取付状態が維持される。図１６のように、サポート部材３は、その上部がリールシート本体１の中心線から外側に離れてその下部がリールシート本体１の中心線に近づくように、左右方向に傾斜した状態となる。
【００３５】
サポート部材３をリールシート本体１の左側面に取り付けることにより、リールシートの左側面は側方に張り出した形状となり、リールシートは、左右非対称形状となる。即ち、リールシートの左側面は右側面に比して径方向外側に膨出した形状となる。また、サポート部材３の上側の角部３２ａは、固定フード部１２よりも後側に位置する。サポート部材３の上側の角部３２ａは、固定フード部１２よりも左側に離れて位置する。サポート部材３の上側の角部３２ａは、固定フード部１２よりも上方に突出するか、あるいは、固定フード部１２と略同じ高さとなる。サポート部材３の上側の角部３２ａは、少なくともリール脚載置部１１よりも上側に位置する。
【００３６】
サポート部材３の下側の角部３２ｂは、リールシート本体１の下面１ａよりも下側には突出せず、リールシート本体１の下面１ａと略同じ高さか、あるいは、リールシート本体１の下面１ａよりも上側に位置する。サポート部材３の下側の角部３２ｂは、グリップ部１７の下端部１７ａの直上付近に位置する。サポート部材３の下側の前部傾斜縁部３３ｂは、リールシート本体１の下面１ａに沿って傾斜し、リールシート本体１の下面１ａよりも下側には位置せず、リールシート本体１の下面１ａと略同じ高さか、あるいは、リールシート本体１の下面１ａよりも上側に位置する。
【００３７】
図１７及び図１８に両軸リール２００をリールシートに取り付けた状態を示している。両軸リール２００が釣竿の上側に位置する状態を通常の状態とする。サポート部材３の前部は、両軸リール２００の左側の側壁部２０３の直下に位置し、サポート部材３の後部は、両軸リール２００の左側の側壁部２０３よりも後側に位置する。サポート部材３は、平面視において、両軸リール２００の左側の側壁部２０３よりも外方には突出せず、それよりも内側に位置する。サポート部材３の上側の角部３２ａは、両軸リール２００の左側の側壁部２０３の後側に位置する。
【００３８】
パーミング時には、左手の手の平にサポート部材３が当接する。左手の手の平はサポート部材３によって内側から支持される。詳細には、手の平のうち人差し指から小指までの四本の指の付け根の関節部分（ＭＰ関節）や触球部がサポート部材３に当接する。サポート部材３の後部や上側の角部３２ａは手の平の母指球に当接する。サポート部材３のうち上側の角部３２ａ近傍の部分は、手の平の母指球を支持するためのサポート壁部となる。特に、両軸リール２００の左側の側壁部２０３の後側にサポート部材３の後部が位置しているので、左手の手の平が両軸リール２００の左側の側壁部２０３の直後においてサポート部材３の後部によって内側から支えられることになる。また、サポート部材３の第一端部３０（前端部）から上下両角部３２ａ，３２ｂまでの領域が徐々に幅広となっているので、両軸リール２００の左側の側壁部２０３に干渉することなく、広い面積で手の平をサポートすることができる。このようにサポート部材３が手の平を支持するので、パーミング時のフィット感が向上し、釣り人の手の負担が軽減される。特に手首の負担が軽減されるので、長時間楽に釣りを行うことができる。特に、両軸リール２００の左側の側壁部２０３の直後においてサポート部材３の角部３２ａ近傍の部分が手の平の母指球を支持するので、手首の負担が軽減される。
【００３９】
左ハンドル仕様の両軸リール２００を使用する場合には、図１９〜図２２のようにサポート部材３をリールシート本体１の右側面に取り付ける。この状態が右手仕様の取り付け状態である。この場合には、パーミング時に右手の手の平がサポート部材３によって支持されることになる。サポート部材３のうち上側の角部３２ｂ近傍の部分は、手の平の母指球を支持するためのサポート壁部となる。このようにサポート部材３が左右兼用の構成であるので、右ハンドル仕様の両軸リール２００と左ハンドル仕様の両軸リール２００の何れにも対応可能であり、釣り人が任意に取り付けて使用することができる。サポート部材３が幅方向に対称形状であるので、リールシート本体１の左右何れの側面に取り付けても同様の使用感が得られる。また、サポート部材３の係合凸部３５，３６をリールシート本体１の係合凹部２０，２１に差し込むだけでよいので、サポート部材３の着脱は極めて容易である。尚、形状やサイズ等の異なるサポート部材３を準備すればそれらにも交換可能であって、釣り人の好みや手の大きさ、両軸リール２００の大きさ等によって、釣り人がサポート部材３を交換して釣りを楽しむこともできる。一方、リールシート本体１は左右対称形状となっているので、リールシート本体１の汎用性は高く、その製造も容易である。
【００４０】
尚、本実施形態では、リールシート本体１に係合凹部２０，２１を設け、サポート部材３に係合凸部３５，３６を設けたが、逆に、リールシート本体１に係合凸部を設け、サポート部材３に係合凹部を設けてもよい。また、係合部の形態も係合凹部や係合凸部に限らず種々であってよい。
【００４１】
また、取付部の構成は係合部以外であってもよく、例えば、サポート部材３をリールシート本体１にネジ止めする構成であってもよく、ネジを併用する構成であってもよい。サポート部材３をリールシート本体１の交換部材８にネジ止めする構成では、例えば、交換部材８の左右両側部にネジが挿通する内外貫通した孔を形成し、サポート部材３の裏面３ｂにはネジを締め込むためのネジボスを突設することができる。ネジボスの先端部には例えば十字の切り込みを形成しておくことが好ましい。
【００４２】
また、交換部材８に、サポート部材３を取り付けるための取付部を設けたが、固定部材７に設けるようにしてもよい。リールシート本体１が固定部材７と交換部材８とから構成されていたが、リールシート本体１が一つの部材から構成されていてもよく、保持用ナット２も省略されてよい。サポート部材３を取り付けるための取付部が例えばリールシート本体１の下部や下面に一箇所のみ形成されていてもよく、グリップ部１７に形成されていてもよい。
【符号の説明】
【００４３】
１    リールシート本体
１ａ  下面
２    保持用ナット
３    サポート部材
３ａ  表面
３ｂ  裏面
７    固定部材
８    交換部材
８ａ  突片部
１０    竿挿通孔
１０ａ  中心線
１１    リール脚載置部
１２    固定フード部
１３    フード用雄ネジ部
１４    保持用雄ネジ部
１７    グリップ部
１７ａ  下端部
１９    延長筒部
２０    前側の係合凹部（取付部）
２１    後側の係合凹部（取付部）
３０    第一端部（前端部）
３１    第二端部（後端部）
３２ａ  角部
３２ｂ  角部
３３ａ  前部傾斜縁部
３３ｂ  前部傾斜縁部
３４ａ  後部傾斜縁部
３４ｂ  後部傾斜縁部
３５    第一の係合凸部（係合部）
３６    第二の係合凸部（係合部）
１００  竿本体
２００  両軸リール
２０１  リール脚
２０２  右側の側壁部
２０３  左側の側壁部
２０４  スプール
２０５  ハンドル
２０６  クラッチ
【図１】
2019180271.tif 000003
【図２】
2019180271.tif 000004
【図３】
2019180271.tif 000005
【図４】
2019180271.tif 000006
【図５】
2019180271.tif 000007
【図６】
2019180271.tif 000008
【図７】
2019180271.tif 000009
【図８】
2019180271.tif 000010
【図９】
2019180271.tif 000011
【図１０】
2019180271.tif 000012
【図１１】
2019180271.tif 000013
【図１２】
2019180271.tif 000014
【図１３】
2019180271.tif 000015
【図１４】
2019180271.tif 000016
【図１５】
2019180271.tif 000017
【図１６】
2019180271.tif 000018
【図１７】
2019180271.tif 000019
【図１８】
2019180271.tif 000020
【図１９】
2019180271.tif 000021
【図２０】
2019180271.tif 000022
【図２１】
2019180271.tif 000023
【図２２】
2019180271.tif 000024